(57)【要約】      （修正有）【課題】提げベルトの長さを調節できる外観上体裁のよい手提げ用等のバッグを提供することにある。【解決手段】持ち運び用の提げベルト４の長さを調節可能にその端部側をバッグ本体２の物品出し入れ用のバッグ開口部３の周縁部の内側部に出し入れ係止可能にベルト係止部５を設け、提げベルト４の端部側に所定の間隔で複数の被係止具を設けて、上記提げベルト４の長さを調節可能にバッグ開口部３の周縁部の内側部で提げベルト４の端部側を係止具に着脱可能に係止するようにしている。なお、バッグ開口部３の両側部および両端部の周縁部に、提げベルト４の両端部をそれぞれ出し入れ係止可能にベルト係止部５を設けることもできる。【選択図】図１
0003135130.tif 000002
【実用新案登録請求の範囲】
【請求項１】
トートバッグや手提げバッグ等のバッグであって、
持ち運び用の提げベルトの長さを調節可能にその端部側をバッグ本体の物品出し入れ用
のバッグ開口部の周縁部の内側部に出し入れ係止可能にベルト係止部を設け、上記提げベ
ルトの長さを調節可能にバッグ開口部の周縁部の内側部で提げベルトの端部側を係止具に
着脱可能に係止するようにしたことを特徴とする手提げ用等のバッグ。
【請求項２】
提げベルトの端部側に所定の間隔で複数の被係止具を設けた請求項１に記載の手提げ用
等のバッグ。
【請求項３】
バッグ開口部の両側部および両端部の周縁部の内側部に提げベルトの両端部をそれぞれ
出し入れ係止可能にベルト係止部を設けた請求項１または２に記載の手提げ用等のバッグ
。
【請求項４】
バッグ開口部の周縁部に周縁材をベルト係止部を除いて縫着するとともに、バッグ開口
部の周縁部のベルト係止部分に提げベルトの幅の１．５〜３倍の幅のベルト係止部を設け
、このベルト係止部に端部側の複数個所に鳩目具やホック、フック等の被係止具を設けた
提げベルトを出し入れ係止可能に挿入するようにして上記バッグ開口部の周縁部の周縁材
の内側部に取着した鳩目具やホック、フック等の係止具を上記提げベルトの被係止具に着
脱自在に係止するようにした請求項１ないし３のいずれかに記載の手提げ用等のバッグ。
【請求項５】
提げベルトを交換自在に出し入れ係止するように形成した請求項１ないし４のいずれか
に記載の手提げ用等のバッグ。
【考案の詳細な説明】
【技術分野】
【０００１】
本考案は、トートバッグ、手提げバッグ、ショルダーバッグ等の手提げ用等のバッグに
関するものである。
【背景技術】
【０００２】
近年、通勤や買い物、レジャー等にバッグが多用され、周知のようにバッグを持ち運ぶ
ために手提げのベルトが取着されている。
【０００３】
一般的に、手提げベルトはバッグに固定して取着され、その長さを調節できないものが
多く、一部に手提げベルトの長さを調節するものも知られている。一方、肩に掛けるショ
ルダーバッグでは、その肩掛けベルトはその一端部側をループ状として長さ調節具を取り
付け、ベルトの長さを調節できるようにしているものが多い。
【０００４】
しかし、手提げバッグのベルトの長さが調節できるものでは、特開２００１−３２７３
２０号公報や実用新案登録第３１１７２９３号公報のようにバッグの提げ手の端部にＤ字
金具やバックル状の調節部材を取り付けて長さ調節していて、特に前者のものではベルト
の端部がバッグの外側に露出して外観がよくなく、また後者にあってもバックル状の調節
部材がそっくり露出して体裁がよくないものである。
【０００５】
さらに、上記したショルダーバッグでは、その左右の両端が係止金具等を介してバッグ
に取り付けられ、バッグの外観を損なうものであった。
【特許文献１】特開２００１−３２７３２０号公報
【特許文献２】実用新案登録第３１１７２９３号公報
【考案の開示】
【考案が解決しようとする課題】
【０００６】
したがって、本考案は、提げベルトの長さを調節できる外観上体裁のよい手提げ用等の
バッグを提供することが課題であった。
【課題を解決するための手段】
【０００７】
本考案は、上記のような点に鑑みたもので、上記の課題を解決するために、トートバッ
グや手提げバッグ等のバッグであって、持ち運び用の提げベルトの長さを調節可能にその
端部側をバッグ本体の物品出し入れ用のバッグ開口部の周縁部の内側部に出し入れ係止可
能にベルト係止部を設け、上記提げベルトの長さを調節可能にバッグ開口部の周縁部の内
側部で提げベルトの端部側を係止具に着脱可能に係止するようにしたことを特徴とする手
提げ用等のバッグを提供するにある。
【０００８】
また、提げベルトの端部側に所定の間隔で複数の被係止具を設けたことを特徴とする手
提げ用等のバッグを提供するにある。
【０００９】
また、バッグ開口部の両側部および両端部の周縁部の内側部に提げベルトの両端部をそ
れぞれ出し入れ係止可能にベルト係止部を設けたことを特徴とする手提げ用等のバッグを
提供するにある。
【００１０】
さらに、バッグ開口部の周縁部に周縁材をベルト係止部を除いて縫着するとともに、バ
ッグ開口部の周縁部のベルト係止部分に提げベルトの幅の１．５〜３倍の幅のベルト係止
部を設け、このベルト係止部に端部側の複数個所に鳩目具やホック、フック等の被係止具
を設けた提げベルトを出し入れ係止可能に挿入するようにして上記バッグ開口部の周縁部
の周縁材の内側部に取着した鳩目具やホック、フック等の係止具を上記提げベルトの被係
止具に着脱自在に係止するようにしたことを特徴とする手提げ用等のバッグを提供するに
ある。
【００１１】
さらにまた、提げベルトを交換自在に出し入れ係止するように形成したことを特徴とす
る手提げ用等のバッグを提供するにある。
【考案の効果】
【００１２】
本考案の手提げ用等のバッグは、持ち運び用の提げベルトの長さを調節可能にその端部
側をバッグ本体の物品出し入れ用のバッグ開口部の周縁部の内側部に出し入れ係止可能に
ベルト係止部を設けることによって、持ち運び用の提げベルトをバッグ開口部の周縁部の
内側部に係止して提げベルトの長さを好みに合わせて所定の長さに出し入れして調節する
ことができる。
そして、上記提げベルトの長さを調節可能にバッグ開口部の周縁部
の内側部で提げベルトの端部側を係止具に着脱可能に係止することによって、提げベルト
の長さを調節できるにもかかわらず、ベルト調節金具等が外部に不体裁に露出しなかった
りして使用者の好みに合わせて提げベルトの長さを調節できてファッショナブルに手提げ
たり、肩に掛けたりして持ち運ぶことができる。
【００１３】
また、提げベルトの端部側に所定の間隔で複数の被係止具を設けることによって、上記
した提げベルトを長短適正な長さに所要の被係止具をバッグ本体に係止して、ファッショ
ナブルに手提げたり、肩に掛けたりして持ち運ぶことができる。
【００１４】
また、バッグ開口部の両側部および両端部の周縁部の内側部に提げベルトの両端部をそ
れぞれ出し入れ係止可能にベルト係止部を設けることによって、一つのバッグでありなが
ら、提げベルトをバッグ本体の両側面部に一対として係止できるとともに、必要によりバ
ッグ本体の両端部側にも係止できて、多用に手提げたり、肩に掛けたりすることができる
。
【００１５】
さらに、バッグ開口部の周縁部に周縁材をベルト係止部を除いて縫着するとともに、バ
ッグ開口部の周縁部のベルト係止部分に提げベルトの幅の１．５〜３倍の幅のベルト係止
部を設け、このベルト係止部に端部側の複数個所に鳩目具やホック、フック等の被係止具
を設けた提げベルトを出し入れ係止可能に挿入するようにして上記バッグ開口部の周縁部
の周縁材の内側部に取着した鳩目具やホック、フック等の係止具を上記提げベルトの被係
止具に着脱自在に係止することによって、提げベルトをバッグ開口部の周縁部の周縁材間
のベルト係止部に出し入れして長さ調節して使用でき、特に提げベルトの被係止具を上記
周縁材の内側の係止具で係止できて、提げベルトの端部やバックル状の調節部材がバッグ
本体の外側に露出したりせずに、バッグの外観を体裁よくできる。
【００１６】
さらにまた、提げベルトを交換自在に出し入れ係止することによって、必要により所望
の提げベルトと交替して上記のようにバッグを持ち運びできる。
【考案を実施するための最良の形態】
【００１７】
本考案の手提げ用等のバッグは、トートバッグや手提げバッグ等のバッグであって、持
ち運び用の提げベルトの長さを調節可能にその端部側をバッグ本体の物品出し入れ用のバ
ッグ開口部の周縁部の内側部に出し入れ係止可能にベルト係止部を設け、上記提げベルト
の長さを調節可能にバッグ開口部の周縁部の内側部で提げベルトの端部側を係止具に着脱
可能に係止するようにしたことを特徴としている。
【００１８】
手提げ用等のバッグ１は、トートバッグ、手提げバッグ、ショルダーバッグ等の皮革や
布、ナイロン等の合成樹脂シートやこれらの組合せのものが適用できるもので、図１のよ
うにバッグ本体２のバッグ開口部３の周縁部の両側部に所定の間隔で一対の持ち運び用の
提げベルト４の両端部を周縁部の内側部に設けたベルト係止部５にそれぞれ出し入れ係止
可能に取り付けるようにしている。
【００１９】
そして、上記バッグ本体２には、図１、図２のように所定の大きさのトートバッグや手
提げバッグのようにその左右の両側面の中央側に所定の間隔で一対の提げベルト４をその
長さを調節可能に取り付けているようにして、適宜な長さとして手提げや肩に掛けて持ち
運べるようにしている。
【００２０】
バッグ本体２は、図１〜図４のように外袋材６と内袋材７との二重状の袋状としていて
、その外袋材６と内袋材７の上周部に丈夫な外周縁材８と内周縁材９をそれぞれ折り曲げ
て挟み込んで縫着し、この上周部の外周縁材８と内周縁材９の上記した提げベルト４のベ
ルト係止部５を図２、図３のように提げベルト４の幅ｂの１．５〜３倍、好ましくは２〜
３倍の幅Ｂだけ縫合せずに開孔状態として提げベルト４を出し入れ自在とし、図３のよう
に内周縁材９側に鳩目具やホック、フック、ボタン等の係止具１１を取り付けて提げベル
ト４の端部側に所定の間隔で取着した鳩目具やホック、フック、ボタン等の被係止具１２
に係止するようにしている。
【００２１】
提げベルト４の両端部には、複数（図上２個）の被係止具１２を取着し、提げベルト４
の両端部の被係止具１２を掛け替えることで、提げベルト４を長短の所要の長さとするこ
とができて、所望のバッグ１として持ち運びすることができる。
特に、係止具１１をバッグ本体２の周縁部の内側部に取り付けていることで、バッグ１
の提げベルト４の長さを調節できるにもかかわらず、ベルト長さ調節金具等がバッグ１の
外部に露出しないようにできて体裁よく、ファッショナブルに手提げたり、肩に掛けたり
して持ち運べることができる。
【００２２】
また、提げベルト４のベルト係止部５は、図２、図３のように提げベルト４の幅ｂの１
．５〜３倍、好ましくは２〜３倍の幅Ｂだけ縫合せずに開孔状態として提げベルト４を出
し入れ係止自在とすることによって、ベルト係止部５を開孔して提げベルト４を出し入れ
係止できるとともに、バッグ１を安定して提げベルト４で吊り下げることができる。
【００２３】
また、図４のようにバッグ１のバッグ本体２の両端部にも上記のようにベルト係止部５
をそれぞれ設け、提げベルト４を挿入して係止するようにできる。
このようにして、図１（ａ）、（ｂ）のようにして持ち運べるバッグ１を、さらに図４
のようにバッグ１の両端部に提げベルト４を吊り下げても持ち運ぶことができ、使用態様
の多様化がはかれる。１３はバッグ開閉ベルトである。
【００２４】
さらに、上記では提げベルト４を挿入して係止するのに上周部に丈夫な所定幅の外周縁
材８と内周縁材９をそれぞれ縫着して、この上周部の外周縁材８と内周縁材９との間に提
げベルト４のベルト係止部５を設けたが、図５のようにバッグ本体２の両側面部に側面補
助材１４をそれぞれ縫着し、バッグ本体２と側面補助材１４の両側の上周縁部に上記のよ
うなベルト係止部５を設けて提げベルト４を出し入れ自在に取り付けて持ち運べるように
できる。
【００２５】
さらにまた、上記では係止具１１を内周縁材９に取り付けて外観を損なわないようにし
たが、外観を損なわないような円形状や装飾状の係止具１１を外周縁材８や側面補助材１
４に取り付けることを除外しないものであり、また係止具１１としてはホックやフック、
ボタン等の公知の係止手段として、これらに係合するスリット等の被係止具１３として提
げベルト４の長さを調節することもできる。
【００２６】
さらにまた、提げベルト４として、皮革材、合成皮革材、布材等とし、必要によりこれ
らを交換自在に出し入れ係止してファッショナブルに多様化をはかることができる。
【実施例】
【００２７】
図１〜図３は、本考案の一実施例を示すもので、ショッピングバッグのようなトートバ
ッグ状のバッグ１で、図１（ａ）、（ｂ）のようにバッグ本体２をやや厚手のナイロンシ
ートの外装材６の上周縁部にやや厚いベルト状の合成皮革材の外周縁材８を折り曲げて縫
着し、薄いナイロンシートの内装材７の上周縁部に外周縁材８と同様に内周縁材９を縫着
し、この上周部の外周縁材８と内周縁材９の上記した提げベルト４のベルト係止部５を図
２、図３のように提げベルト４の幅ｂの２倍の幅Ｂだけそれぞれ縫合せずに開孔状態とし
て提げベルト４を出し入れ自在に係止するようにし、図３のように内周縁材９側に鳩目具
の係止具１１を取り付けて提げベルト４の端部側に所定の間隔で取着した鳩目具の被係止
具１２に係止してバッグ１を持ち運べるものとしたものである。
【００２８】
提げベルト４は、やや厚い合成皮革の所定の長さのベルトとして、その両端部に所定の
間隔（図上１０ｃｍ）で鳩目具の被係止具１２を取り付け、図１（ａ）、（ｂ）のように
上記したベルト係止部５に出し入れ自在に係止して長短の所要の長さとしてバッグ１を持
ち運ぶことができる。
【００２９】
また、図４のようにバッグ１をバッグ本体２の両側端部にも上記のようにベルト係止部
５をそれぞれ設け、提げベルト４を挿入して係止するようにできる。
このように、図１（ａ）、（ｂ）のようにして持ち運べるバッグ１を、さらに図４のよ
うにバッグ１の両側端部に提げベルト４を吊り下げても持ち運ぶことができ、使用態様の
多様化がはかれる。
【００３０】
またさらに、図５のようにバッグ本体２の両側面部に側面補助材１４をそれぞれ縫着し
、バッグ本体２と側面補助材１４の両側端部周縁部の間に上記のようなベルト係止部５を
設けて提げベルト４を出し入れ自在に取り付けて持ち運べるようにするなど、本考案の趣
旨にもとづいて適宜の実施態様を実施することができる。
【図面の簡単な説明】
【００３１】
【図１】本考案の一実施例のベルトの長さ調節説明用の斜視図（ａ）、（ｂ）、
【図２】同上の一部省略したベルト係止部の拡大説明図、
【図３】同上の一部省略したベルト係止部の拡大断面図、
【図４】同上の他の実施例の斜視図、
【図５】同上のさらに他の実施例の斜視図。
【符号の説明】
【００３２】
１…バッグ      ２…バッグ本体      ３…バッグ開口部
４…提げベルト
５…ベルト係止部      １１…係止具      １２…被係止具
【図１】
0003135130.tif 000003
【図２】
0003135130.tif 000004
【図３】
0003135130.tif 000005
【図４】
0003135130.tif 000006
【図５】
0003135130.tif 000007